(57)【要約】【課題】簡易な構成によって線数を落とさずにザラツキの無い画像を得る。【解決手段】図８の（ａ）で示すようなパターンとマッチングした場合、注目画素の値を変換テーブルに従って図８の（ｂ）に示すようなパターンに置き換える。これにより、例えば、２値の万線構造はエッジが補間されて万線が滑らかに平滑化されるように変換される。【選択図】    図８
2004282344.tif 000002
【特許請求の範囲】
【請求項１】
画素が全面均一階調の入力多値画像データを擬似中間調処理して２値の万線構造パターンもしくは略万線構造パターンを有する画像データに変換する場合において、
任意階調における階調情報である２値の万線構造もしくは略万線構造のエッジ部を補間することにより万線構造もしくは略万線構造を平滑化することを特徴とする画像処理方法。
【請求項２】
２値の万線構造もしくは略万線構造におけるエッジ部の補間は、パターンマッチング処理によって行うことを特徴とする請求項１記載の画像処理方法。
【請求項３】
パターンマッチング処理は、入力される画像が非対称解像度の場合、低解像度側の１画素のサイズを基準とした正方ピクセルを形成し、この中の複数画素をまとめて処理の対象となる注目画素としたことを特徴とする請求項２記載のカラー画像処理方法。
【請求項４】
エッジ部の補間処理は、補間前後において画素の面積率を変えずに補間することを特徴とする請求項１記載のカラー画像処理方法。
【発明の詳細な説明】
【０００１】
【発明の属する技術分野】
本発明は、プリンタ、複写機、ファクシミリ、ＭＦＰ（Ｍｕｌｔｉ−Ｆｕｎｃｔｉｏｎ  Ｐｅｒｉｐｈｅｒａｌ）等に使用される画像処理方法に関する。
【０００２】
【従来の技術】
近年、デジタル化された画像データに基づいてレーザを駆動し階調を再現するレーザプリンタ等の電子写真プロセス方式を使用した画像形成装置が広く知られている。また、電子写真プロセス方式を使用した画像形成装置としてはカラー画像を扱う画像形成装置も普及している。カラー画像を扱う場合、モニタ等ではＲＧＢ系で画像を扱い、プリンタ等ではＣＭＹ系、あるいはＣＭＹＫ系で画像を扱っている。
【０００３】
また、モニタではＲＧＢ毎に輝度変調により純粋に１画素を多値の階調数で表示しているが、プリンタ等ではディザ法や濃度パターン法といった疑似中間調処理の技法を用いて、基本的に画素単位、あるいは、さらに画素をより分割した単位でのドットのオン、オフの２値出力を一定の微小面積内で制御することにより面積的に階調を表現している。カラーでは、これをＣ（シアン）、Ｍ（マゼンタ）、Ｙ（イエロー）、Ｋ（ブラック）の４色、あるいはＣ、Ｍ、Ｙの３色に適用し、最終印字面上で３色あるいは４色の微小ドットを重ね合わせることにより、微妙なカラー階調画像を再現している。
【０００４】
ところで、ホストコンピュータあるいはパーソナルコンピュータ等で作成、編集された文書やグラフィック、写真等は、プリンタドライバによって、例えば、ＰｏｓｔｓｃｒｉｐｔやＰＣＬと呼ばれるＰＤＬ言語に変換され、ＬＡＮやセントロニクス等の中継手段を経由して画像出力装置に送られる。画像出力装置では、これを画像処理部内のコントローラで言語解釈してＲＩＰ（Ｒａｓｔｅｒ  Ｉｍａｇｅ  Ｐｒｏｃｅｓｓｏｒ）によりラスターデータに展開する処理を行う。（以下、ＲＩＰ処理と称する。）
一般的に、このＲＩＰ処理によりコントローラから出力される画像データは、１色当たり１画素１ビット乃至８ビットという、出力機器の印字能力に合わせた階調再現範囲の画像データが出力される。基本的に１ビットや低ビットのＲＩＰ処理では、コントローラにおける擬似中間調処理部でビットの圧縮処理が行われ、８ビットのＲＩＰ処理では、コントローラでは擬似中間調処理は行われず、エンジン側において、パルス幅変調、パワー変調といったレーザ変調技術を応用して階調を再現している。
【０００５】
また、画像出力装置には、ラスター化されたデータを複数ページ分まとめて処理する電子ソート、Ｎ  ｉｎ  １、両面印刷等の付加価値の高い機能を搭載したものもある。このような付加価値を付けるためには、コントローラによってラスター化された画像データを数ページ分まとめて一旦メモリ等の記憶手段に保持する必要がある。しかし、８ビットのＲＩＰ処理では画像データの量が非常に多くなり、例えば、Ａ４サイズ１枚分だけでも、６００ｄｐｉの８ビットフルカラー画像をそのまま保存するには１００Ｍバイト以上の記憶容量が必要となる。このため、圧縮等の技術も必要となり装置が複雑化する。特に、圧縮率を稼ぐために非可逆圧縮にすると、高周波成分を含む文字や線画の画質は著しく低下し、これの対応としてさらに複雑な処理が必要になる。
【０００６】
一方、１ビットのＲＩＰ処理では８ビットのＲＩＰ処理に比べて単純にデータ容量が１／８になり、これに簡易な可逆圧縮方式を組み合わせることにより装置を複雑化すること無くデータ量を抑えることができ、また、トータルな高速処理を実現させることができる。この１ビットのＲＩＰ処理時の擬似中間調処理では、ディザマトリクスを使用した組織的ディザ法や濃度パターン法の手法が使用されているが、これらの手法を電子写真方式の画像形成装置に適用した場合に問題が生じる。
【０００７】
すなわち、最近の電子写真方式の画像形成装置ではエンジンが持つ純解像度がますます高解像度化されており、単独の１画素を安定した状態で形成することが難しく、ドット分散型のディザマトリクスを使用すると、一般的には高画質な画像を得ることが困難である。このため、ドット集中型のディザマトリクスを使用し、複数画素をまとめた単位で面積的に階調を再現することにより、安定した画像を得ている。なお、ドット集中型のディザとしては形状的には網点タイプや万線タイプやチェーンタイプといった様々な手法が存在するが、本質的には複数ドットを任意の方向に固めて階調を再現するという点では同じである。
【０００８】
ドット集中型のディザマトリクスを使用して面積的に階調を再現する場合、画像を視覚的に満足させる程度に擬似階調数を上げるためには、ディザマトリクスの網の基本サイズを大きく取れば良いことになる。しかし、反面、ディザマトリクスの網の基本サイズを大きくすると解像度が低下する。このように擬似中間調処理では解像度と階調性は相反する特性を持っている。従って、このような擬似中間調処理を行った場合、階調性は満足すべきものであっても、画像中の階調を持った文字や線画等の解像度情報であるエッジ部は著しく画質が劣化する。
【０００９】
また、文字、線画等の２値画像に対して斜め線や曲線を滑らかに再現する手法として平滑化処理と呼ばれる擬似高解像度化手法が知られている。しかし、階調再現性を上げるためにはこのような擬似高解像度化手法は不向きである。そこで、カラーディザパターンを別のより高解像度のカラーディザパターンに変換することによって、文字や図形の輪郭を滑らかに印刷するとともにカラー中間調画像の高画質化を図ったものが知られている（例えば、特許文献１参照）。
【００１０】
【特許文献１】
特開平６−１５８８０号公報
【００１１】
【発明が解決しようとする課題】
１ビット、すなわち、２値のＲＩＰ処理では１画素に対して画素のオン、オフの制御しかできないので、多値の場合に比べて階調再現用のパターン配置の自由度が低く、設計が難しい問題がある。特に、高画質化のためにはこの階調再現用のパターンをいかに安定正確に印字し、かつ、各階調間で連続的に滑らかにパターンを再現させるかによって大きく画質に影響がでる。このため、１画素をオン、オフにしか制御できない２値の状態では、視覚的なザラツキが発生してしまい、多値に比べてやむを得ず線数を落とさなければならなかった。
【００１２】
また、上述した特許文献１の手法は、処理自体が複雑であるとともにディザパターンそのものを別のディザパターンに変換しているため最適なパラメータ設計が複雑化する問題があった。
そこで本発明は、非常に簡易な構成によって線数を落とさずにザラツキの無い画像を得ることができる画像処理方法を提供する。
【００１３】
【課題を解決するための手段】
本発明は、画素が全面均一階調の入力多値画像データを擬似中間調処理して２値の万線構造パターンもしくは略万線構造パターンを有する画像データに変換する場合において、任意階調における階調情報である２値の万線構造もしくは略万線構造のエッジ部を補間することにより万線構造もしくは略万線構造を平滑化することにある。
【００１４】
【発明の実施の形態】
以下、本発明の実施の形態を、図面を参照して説明する。なお、この実施形態は本発明をカラーレーザプリンタに適用したものについて述べる。
図１は、システム全体の構成を示すブロック図で、ネットワーク１１上に複数のパーソナルコンピュータ１２を接続するとともに１台のカラーレーザプリンタ１３を接続している。
【００１５】
前記各パーソナルコンピュータ１２は、カラーレーザプリンタ１３に対して画像データの構造を示すＰＤＬデータを送信するようになっている。すなわち、各パーソナルコンピュータ１２はカラーレーザプリンタ１３とのインターフェース特性に合わせて、ドライバ１４からカラーレーザプリンタ１３のプリンタコントローラ１５にＰＤＬコードあるいはラスターのデータを転送するようになっている。前記カラーレーザプリンタ１３は、前記プリンタコントローラ１５により、プリンタエンジン１６を駆動制御するようになっている。
【００１６】
前記プリンタコントローラ１５は、パーソナルコンピュータ１２から送られてきたコード化された画像データであるＰＤＬ等のページ記述言語をビットマップに展開するとともに各種の画像処理を行った後、内蔵しているイメージメモリに格納する。前記プリンタエンジン１６は、プリンタコントローラ１５からのビットマップの画像データを駆動信号に変換し、また、用紙などの記録媒体を搬送するとともに駆動信号によってレーザの駆動制御等を行って印字動作を行うようになっている。
【００１７】
なお、パーソナルコンピュータ１２とカラーレーザプリンタ１３との関係は必ずしもネットワーク化されている必要はなく、セントロニクスに代表されるパラレル接続等で使用しても良く、また、１対１の関係であっても良い。また、プリンタコントローラ１５とプリンタエンジン１６とのインターフェースは、基本的にプリンタのアーキテクチャーに依存するものであり規定化されているものではない。
【００１８】
図２は、前記カラーレーザプリンタ１３のプリンタコントローラ１５及びプリンタエンジン１６の構成を示すブロック図で、ラスター画像に展開処理された後のカラー画像処理のみを示したものである。
すなわち、色変換処理部２１、ＢＧ／ＵＣＲ処理部２２、γ（ガンマ）変換部２３、疑似階調処理部２４によってプリンタコントローラ１５内のカラー画像処理部を構成している。また、エンジンＡＳＩＣ２５は、画像データを元にレーザを駆動するパルス信号を変換する処理を担うもので前記プリンタエンジン１６を構成している。
【００１９】
次に、入力階調を各色８ｂｉｔ、２５６階調として各部の機能について説明する。なお、白を０、各色のベタを２５５とする。
前記プリンタコントローラ１５は、例えば、入力された各色８ｂｉｔのモニタなどで標準的なＲ８Ｇ８Ｂ８の色信号を、まず色変換処理部２１で、プリンタでの色再現色である各色８ｂｉｔ、すなわち、多値のＣ８Ｍ８Ｙ８の色信号に変換してＢＧ／ＵＣＲ処理部２２に供給している。なお、Ｒ、Ｇ、Ｂはレッド、グリーン、ブルーの各色を示し、Ｃ、Ｍ、Ｙはシアン、マゼンタ、イエローの各色を示している。
【００２０】
前記ＢＧ／ＵＣＲ処理部２２は、ＣＭＹ色から墨成分を抽出し、かつ、その後のＣＭＹ色を決定し、最終的に各色８ｂｉｔのＣ８Ｍ８Ｙ８Ｋ８色に変換してガンマ変換部２３に供給している。なお、Ｋは黒色を示している。
前記ガンマ変換部２３は、各色毎にプリンタの実質出力特性に応じた階調補正を行い、補正した各色８ｂｉｔのＣ８Ｍ８Ｙ８Ｋ８階調画像データを疑似階調処理部２４に供給している。
【００２１】
前記疑似階調処理部２４は、各色毎にディザ処理により、１画素のデータをプリンタエンジン１６の印字能力に合わせた各色１ｂｉｔ又は各色２ビットの、より小さい階調数の画像データに変換するようになっている。疑似階調処理部２４からの各色１ｂｉｔのＣ１Ｍ１Ｙ１Ｋ１階調画像データ、または各色２ｂｉｔのＣ２Ｍ２Ｙ２Ｋ２階調画像データを、プリンタエンジン１６を構成するエンジンＡＳＩＣ２５に供給している。
【００２２】
ここでは、ＲＩＰ（Ｒａｓｔｅｒ  Ｉｍａｇｅ  Ｐｒｏｃｅｓｓｏｒ）の解像度を、６００×６００ｄｐｉ／１ｂｉｔ（２値）と、１２００×６００ｄｐｉ／１ｂｉｔ（２値）の２つのモードに対して記載している。特に、１２００×６００ｄｐｉ／１ｂｉｔでは、エンジンＡＳＩＣ２５に対して、並列２ビット構成で接続するＩ／Ｆとしている。なお、１ｂｉｔ（２値）においては、０をオフ、１をオンとし、オンの時に画素を形成するようになっている。
【００２３】
前記エンジンＡＳＩＣ部２５は、プリンタコントローラ１５、すなわち、前記擬似階調処理部２４から入力されたラスター画像データを、レーザを駆動するためのＰＷＭ（Ｐｕｌｓｅ  Ｗｉｄｅ  Ｍｏｄｕｌａｔｉｏｎ）信号に変換し、画像を形成するようになっている。
【００２４】
次に、要部である前記擬似階調処理部２４について詳しく述べる。なお、ここでは６００×６００ｄｐｉ／１ｂｉｔの擬似階調処理を基本にして述べる。
前記擬似階調処理部２４は、ここでは組織的ディザ処理によって擬似階調処理を行うようになっている。組織的ディザ処理は、入力画像データに対して対応する位置のディザ閾値との間で１対１の大小比較によって対象となる画素をオンするかオフするか決定する非常に簡単な論理に基づいて行う処理である。
【００２５】
図３は、非常に簡略化した２種類の２値のディザ閾値により決定される各入力階調における画素の出現状態の遷移を示すもので、（ａ）は出力パターンが万線系となる性質を持つディザ閾値配列による擬似中間調処理の変換結果を示し、（ｂ）は出力パターンが網点系となる性質を持つディザ閾値配列による擬似中間調処理の変換結果を示している。なお、ここでは説明の容易化のため１６階調分のパターンのみを示したが、入力８ｂｉｔの画像に対して２５６階調の擬似中間調処理を行うのであれば、このディザ閾値は２５５個の異なる閾値を持つ構成になり、出力パターンも２５６種類となる。また、マトリクスサイズもより大きなものとなる。
【００２６】
一般的に、万線といえども２値の擬似中間調処理ではハイライト部から万線が構成されるわけではなく、図３の（ａ）に示すようにハイライト部では孤立したドットが出現し、徐々に万線が形成されて行くような構造となる。また、網点に対しても同様で、図３の（ｂ）に示すように最初は孤立したドットが出現しこれが徐々に網として大きくなって行くような構造となる。但し、６００ｄｐｉ程度の解像度では１つの網点で２５６階調程度再現すると、線数が５０ｌｐｉ（Ｌｉｎｅ  Ｐｅｒ  Ｉｎｃｈ）以下と大幅に落ちてしまうため、１つの網点で構成する階調数は少な目にして、クラスタを拡張することで擬似的に階調数を稼ぐテクニックを使っている。このクラスタ拡張の概念は万線タイプにおいても本質的には同じである。
【００２７】
図３からも分かるように、２値の擬似中間調処理では最小画素単位である６００ｄｐｉの１画素に対してオンするかオフするかの状態しか取れないため、電子写真のアナログ的な特性上、図４に示す多値の万線構造のように滑らかな安定した万線が形成できない。すなわち、２値の擬似中間調処理では図５に示すように万線輪郭部のジャギが目立ち、階調再現の連続性が劣り、また、面内安定性も悪くなる。このため、安定した画像を再現するための唯一の対策としては低線数化するしかなかった。
【００２８】
６００ｄｐｉの理想的な１ドットは正方格子であるが、一般的な電子写真方式のプロセスではアナログ的な要素が複雑に絡み合っており、この理想的な正方格子の中にドットを正確に印字することはできず、円形に近い形で像が再現される。また、ビーム径を走査方向全面に対して安定して絞ることは難しく、マージンを持った設計をするとレーザの径が自ずと大きくなる。一般的にはレーザの光学系及びプロセスのアナログ的なボケによりこの理想正方格子を完全に覆う以上の径の円で形成されることになる。また、このアナログ的な特性の影響から、１ドットの孤立点を安定して再現することと１ラインペア画像のような高ＭＴＦの必要な画像再現することはある種の相対関係となり、これらを同時に満足できるような画像再現は非常に難しい。
【００２９】
多値の万線構造と２値の万線構造を比較すると、図４と図５の関係になり、２値の万線ではジャギが目立つ構造となっている。また、図中Ａで示す部分には点で示すような接続ポイントが発生しており、このような部分は像再現の安定性を妨げている。これは搬送方向の送りムラ等が発生した場合、点で接続されているポイントは重なったり、離れたりして像形成が不安定になり易く、ジッタ等がより目立ち易くなり、面内安定性を妨げる。また、このような万線構造パターンは、文字や線画等とは異なり、万線を形成している画素集合の面積自体が擬似的な階調情報となっている。従って、このような像構造に対してむやみに変更を加えると、肝心の階調再現性の連続性自体が崩れることになる。
【００３０】
ここでは、線数を落とすこと無く、可能な限り少ない補正で安定した万線を形成し、かつ階調再現性も犠牲にしない手法を開示する。基本的に万線構造自体は単純なので、パターンマッチング処理により、簡易に２値万線の構造を補正することができる。また、パターンマッチングに必要なサイズは最大でも５×５程度の大きさがあれば十分であり、非常に簡易なハードウエアで実現できる。
【００３１】
６００×６００ｄｐｉ／１ｂｉｔに対して、プリンタコントローラ１５において画像を純粋に高画質化する方法としては、解像度を上げる手法とｂｉｔ深さを増す手法がある。解像度を上げる手法は、６００×６００ｄｐｉ／１ｂｉｔを１２００×６００ｄｐｉ／１ｂｉｔや１２００×１２００ｄｐｉ／１ｂｉｔ等に変換することであり、ｂｉｔ深さを増す手法は、６００×６００ｄｐｉ／１ｂｉｔを６００×６００ｄｐｉ／２ｂｉｔや６００×６００ｄｐｉ／４ｂｉｔ等に変換することである。
【００３２】
例えば、１２００×６００ｄｐｉ／１ｂｉｔと６００×６００ｄｐｉ／２ｂｉｔでは、画像の持つ総データ量は同じであるが、１２００×６００ｄｐｉ／１ｂｉｔは６００ｄｐｉ換算で１画素当たりの階調数は３階調であるが、解像度に対してより情報を保持する方向で働き、６００×６００ｄｐｉ／２ｂｉｔは１画素当たり４階調の階調再現能力を持っているという特徴がある。すなわち、階調再現的には６００×６００ｄｐｉ／２ｂｉｔの方が優れており、解像度的には１２００×６００ｄｐｉ／１ｂｉｔの方が優れている。但し、一般的なプリンタコントローラの構成上は、１２００×６００ｄｐｉ／１ｂｉｔの方が実現容易なため、プリンタとしては、１２００×６００ｄｐｉ／１ｂｉｔを持つものが一般的である。なお、１２００×１２００ｄｐｉ／１ｂｉｔと６００×６００ｄｐｉ／４ｂｉｔの関係も基本的に同じである。
【００３３】
次に、パターンマッチングについて述べる。
このパターンマッチング処理は、エンジンＡＳＩＣ２５で行う。このエンジンＡＳＩＣ２５において、パルス幅変調によりレーザを駆動するパルス幅信号を制御する。図６は６００×６００ｄｐｉ／１ｂｉｔの画像に対するエッジ補間方法の原理を示す図であり、図７は１２００×６００ｄｐｉ／１ｂｉｔの画像に対するエッジ補間方法の原理を示す図である。図６は対称解像度に関し、図７は非対称解像度に関するもので、どちらも基本的には６００×６００ｄｐｉの画素を基本単位として扱っている。
【００３４】
これにより、画像転送クロックを６００ｄｐｉに共通化できる。また、システムを高速化する必要が無いという効果がある。解像度の違いを吸収するのは最終段であるレーザのパルス幅変調部分で制御することによりシステムを簡略化できる。図６の（ａ）はパターンマッチングサイズを３×３とした場合の例を示し、図６の（ｂ）はパターンマッチングサイズを５×５とした場合の例を示している。図７の（ａ）はパターンマッチングサイズを１２００×６００ｄｐｉ換算で４×３とした場合の例を示し、図７の（ｂ）はパターンマッチングサイズを１２００×６００ｄｐｉ換算で６×３とした場合の例を示している。
【００３５】
また、図７においては、画像の低解像度側、すなわち、６００ｄｐｉ側の１画素のサイズを基準とした正方ピクセルを形成し、この中の複数画素をまとめて処理の対象となる注目画素としている。すなわち、６００ｄｐｉの１正方ピクセルが注目画素となっている。そして、注目画素のパターン走査は、主走査方向に６００ｄｐｉ単位となる２画素単位で行う。
【００３６】
図６の（ａ）に示すパターンマッチング処理では、図８の（ａ）で示すようなパターンとマッチングした場合、注目画素の値を変換テーブルに従って他の値に置き換える。すなわち、図８の（ｂ）に示すようなパターンに置き換える。これにより、図１０の（ａ）に示すような２値の万線構造は図１０の（ｂ）に示すように変換され、エッジが補間され万線が滑らかに平滑化される。
【００３７】
また、図７の（ａ）に示すパターンマッチング処理では、図９の（ａ）で示すようなパターンとマッチングした場合、注目画素の値を変換テーブルに従って他の値に置き換える。すなわち、図９の（ｂ）に示すようなパターンに置き換える。これにより、図１１の（ａ）に示すような２値の万線構造は図１１の（ｂ）に示すように変換され、エッジが補間され万線が滑らかに平滑化される。
【００３８】
このようにして、エッジが補間され万線が滑らかに平滑化された出力画像を得ることができる。これにより、線数を落とさずにザラツキの無い画像を得ることができる。
なお、図６の（ｂ）及び図７の（ｂ）に示すパターンマッチングサイズを使用した場合もパターンマッチングして変換する原理は同じである。
【００３９】
図８及び図９に示したように、２値ディザの万線構造においては、非常に構造が単純で、像形成の周期的な規則性が存在するので、非常に少ないパターンで十分な効果を得ることができる。従って、パターンマッチング処理においては、マッチングパターンが少ないという点から、ルック・アップ・テーブル等の高価なメモリ回路を使用せずに、安価で単純な論理演算回路で容易に実現できる。
【００４０】
また、図１０や図１１からも分かるように補間の前後、すなわち、（ａ）と（ｂ）との間で数画素という局所的な範囲での面積率が等しくなるようにしている。これにより、階調情報自体である万線構造の面積率が変化しないので、各入力階調間での階調再現の連続性を保持できることになる。また、電子写真のアナログ的な特性により補間前後で面積率を完全に等しくする必要はなく、連続的な入力階調に対して階調反転が起こらない程度に変換値を設定すればよい。
【００４１】
なお、この実施の形態は２値の万線構造の補間について述べたが必ずしもこれに限定するものではなく、２値の万線構造に近い、略万線構造の補間にも適用できるものである。
【００４２】
【発明の効果】
以上詳述したように、本発明によれば、非常に簡易な構成によって線数を落とさずにザラツキの無い画像を得ることができる画像処理方法を提供できる。
【図面の簡単な説明】
【図１】本発明の実施の形態を示す図で、システム全体の構成を示す図。
【図２】同実施の形態におけるカラー画像処理部及びプリンタエンジンの構成を示すブロック図。
【図３】同実施の形態において２値のディザ閾値により決定される画素の出現状態の遷移を示す図。
【図４】多値の万線構造を示す図。
【図５】２値の万線構造を示す図。
【図６】同実施の形態における６００×６００ｄｐｉ／１ｂｉｔの画像に対するエッジ補間方法の原理を示す図。
【図７】同実施の形態における１２００×６００ｄｐｉ／１ｂｉｔの画像に対するエッジ補間方法の原理を示す図。
【図８】同実施の形態における６００×６００ｄｐｉ／１ｂｉｔのパターンマッチングの変換例を示す図。
【図９】同実施の形態における１２００×６００ｄｐｉ／１ｂｉｔのパターンマッチングの変換例を示す図。
【図１０】同実施の形態において６００×６００ｄｐｉ／１ｂｉｔのパターンマッチングの変換によって再現される階調パターンを示す図。
【図１１】同実施の形態において１２００×６００ｄｐｉ／１ｂｉｔのパターンマッチングの変換によって再現される階調パターンを示す図。
【符号の説明】
１５…プリンタコントローラ、２４…疑似階調処理部、２５…エンジンＡＳＩＣ。
【図１】
2004282344.tif 000003
【図２】
2004282344.tif 000004
【図３】
2004282344.tif 000005
【図４】
2004282344.tif 000006
【図５】
2004282344.tif 000007
【図６】
2004282344.tif 000008
【図７】
2004282344.tif 000009
【図８】
2004282344.tif 000010
【図９】
2004282344.tif 000011
【図１０】
2004282344.tif 000012
【図１１】
2004282344.tif 000013